(57)【要約】  浮体としての使用時に人体の背側に位置する背側浮体（１０）と浮体としての使用時に人体の腹側に位置する腹側浮体（１２）とが、肩部連結部（１４）でそれぞれの肩部で連結された状態で、平時に、背側浮体（１０）を背負い鞄（６）の中に収納すると共に腹側浮体（１２）を背負い鞄（６）の人体とは逆側の外側に配置し、浮体としての使用時に、腹側浮体（１２）を、肩部連結部（１４）を回転基点として人体の腹側方向に回動させ、腹側浮体（１２）を人体の腹側に位置させることを特徴とする。
2018198389.tif 000002
【特許請求の範囲】
【請求項１】
背負い鞄に装着して使用する背負い鞄用救命胴体において、
浮体としての使用時に人体の背側に位置する背側浮体と、
浮体としての使用時に該人体の腹側に位置する腹側浮体と、
該背側浮体と該腹側浮体とを、それぞれの肩部で連結する肩部連結部とを備えることを特徴とする背負い鞄用救命胴体。
【請求項２】
前記背側浮体又は／及び前記腹側浮体が、前記背負い鞄の収納室内に収納可能な形状であることを特徴とする請求項１記載の背負い鞄用救命胴体。
【請求項３】
前記背側浮体と前記腹側浮体とが分離可能であることを特徴とする請求項１又は請求項２記載の背負い鞄用救命胴体。
【請求項４】
前記肩部連結部が、前記人体の頭部を通すことができる穴部を有することを特徴とする請求項１〜請求項３のいずれかに記載の背負い鞄用救命胴体。
【請求項５】
前記背側浮体又は／及び前記腹側浮体が、前記背負い鞄の背当てとして使用可能な形状であることを特徴とする請求項１〜請求項４のいずれかに記載の背負い鞄用救命胴体。
【請求項６】
前記背側浮体又は／及び前記腹側浮体の横幅が、前記背負い鞄の２本の肩紐の間隔より広いことを特徴とする請求項５記載の背負い鞄用救命胴体。
【請求項７】
前記背側浮体又は／及び前記腹側浮体に、前記背負い鞄に連結固定するための浮体鞄連結固定部を備えることを特徴とする請求項１〜請求項６のいずれかに記載の背負い鞄用救命胴体。
【請求項８】
前記背側浮体と前記腹側浮体とを、それぞれの下部で連結する下部連結部を備えることを特徴とする請求項１〜請求項７のいずれかに記載の背負い鞄用救命胴体。
【請求項９】
前記浮体鞄連結固定部と前記下部連結部とが、兼用可能な形状であることを特徴とする請求項８記載の背負い鞄用救命胴体。
【請求項１０】
背負い鞄に装着して使用する背負い鞄用救命胴体の使用方法において、
浮体としての使用時に人体の背側に位置する背側浮体と浮体としての使用時に該人体の腹側に位置する腹側浮体とが、肩部連結部でそれぞれの肩部で連結された状態で、
平時に、該背側浮体を該背負い鞄の中に収納すると共に該腹側浮体を該背負い鞄の該人体とは逆側の外側に配置し、
浮体としての使用時に、該腹側浮体を、該肩部連結部を回転基点として該人体の腹側方向に回動させ、該腹側浮体を該人体の腹側に位置させることを特徴とする背負い鞄用救命胴体の使用方法。
【請求項１１】
背負い鞄に装着して使用する背負い鞄用救命胴体の使用方法において、
浮体としての使用時に人体の背側に位置する背側浮体と浮体としての使用時に該人体の腹側に位置する腹側浮体とが、肩部連結部でそれぞれの肩部で連結された状態で、
平時に、該背側浮体を該背負い鞄と該人体との間に位置させると共に該腹側浮体を該背負い鞄の該人体とは逆側の外側に配置し、
浮体としての使用時に、該腹側浮体を、該肩部連結部を回転基点として該人体の腹側方向に回動させ、該腹側浮体を該人体の腹側に位置させることを特徴とする背負い鞄用救命胴体の使用方法。
【発明の詳細な説明】
【技術分野】
【０００１】
本発明は、背負い鞄に装着して使用する背負い鞄用救命胴体及び背負い鞄用救命胴体の使用方法に関する。
【背景技術】
【０００２】
従来より、豪雨や津波等による水難事象に備えた救命胴着が提案されている。但し、専用の救命胴衣の場合、普段の生活の中で持ち歩いたりすることが困難である。このような課題を解決しつつ、救命胴衣を身近に備える方法として、例えば、特許文献１のライフセーブ機能を備えたバッグが提案されている。【０００３】
特許文献１のライフセーブ機能を備えたバッグは、一対の本体面部と、この一対の本体面部を側縁で繋ぐ妻面部と、一対の本体面部を下縁で繋ぎ、妻面部と連続している底面部とを具えた収容本体と、この収容本体に設けられる携行バンドとによりバッグ本体を構成し、バッグ本体の少なくとも本体面部には浮体が具えられ、更に妻面部と底面部とには、一対となった本体面部を拡げる方向に分割できるようにした分割構造を具え、更にまた一対の本体面部は、互いの拡開限界を設定するとともに、使用者の両上肢と頸部との通し部を構成するための脇ストラップをその周囲に具えている。そして、ライフジャケットとして使用するときは、分割構造を作用させて一対の本体面部を拡開させ、いずれかの開放側から使用者が被るようにして、反対側の開放側から頭部を出して、ベスト状に使用者身体に装着できるようにするものである。
【先行技術文献】
【特許文献】
【０００４】
【特許文献１】特願２０１４−１１３１８０号公報
【発明の概要】
【発明が解決しようとする課題】
【０００５】
しかしながら、従来のライフセーブ機能を備えたバッグは、手提げのバッグなので、普段の生活の中で使用する機会が限定されており、外出のより多くの機会に持参されるものとは言い難く、突発的な水難に使用できる可能性が低くなってしまうという課題がある。【０００６】
本発明は、このような事情に鑑みてなされたもので、外出のより多くの機会に持参されやすく、突発的な水難に使用できる可能性が高まる背負い鞄用救命胴体及び背負い鞄用救命胴体の使用方法を提供することにある。
【課題を解決するための手段】
【０００７】
請求項１記載の背負い鞄用救命胴体は、浮体としての使用時に人体の背側に位置する背側浮体と、浮体としての使用時に人体の腹側に位置する腹側浮体と、背側浮体と腹側浮体とを、それぞれの肩部で連結する肩部連結部とを備えることを特徴とする。【０００８】
請求項２記載の背負い鞄用救命胴体は、背側浮体又は／及び腹側浮体が、背負い鞄の収納室内に収納可能な形状であることを特徴とする。【０００９】
請求項３記載の背負い鞄用救命胴体は、背側浮体と腹側浮体とが分離可能であることを特徴とする。【００１０】
請求項４記載の背負い鞄用救命胴体は、肩部連結部が、人体の頭部を通すことができる穴部を有することを特徴とする。【００１１】
請求項５記載の背負い鞄用救命胴体は、背側浮体又は／及び腹側浮体が、背負い鞄の背当てとして使用可能な形状であることを特徴とする。【００１２】
請求項６記載の背負い鞄用救命胴体は、背側浮体又は／及び腹側浮体の横幅が、背負い鞄の２本の肩紐の間隔より広いことを特徴とする。【００１３】
請求項７記載の背負い鞄用救命胴体は、背側浮体又は／及び腹側浮体に、背負い鞄に連結固定するための浮体鞄連結固定部を備えることを特徴とする。【００１４】
請求項８記載の背負い鞄用救命胴体は、背側浮体と腹側浮体とを、それぞれの下部で連結する下部連結部を備えることを特徴とする。【００１５】
請求項９記載の背負い鞄用救命胴体は、浮体鞄連結固定部と下部連結部とが、兼用可能な形状であることを特徴とする。【００１６】
請求項１０記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄の中に収納すると共に腹側浮体を背負い鞄の人体とは逆側の外側に配置し、浮体としての使用時に、腹側浮体を、肩部連結部を回転基点として人体の腹側方向に回動させ、腹側浮体を人体の腹側に位置させることを特徴とする。【００１７】
請求項１１記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄と人体との間に位置させると共に腹側浮体を背負い鞄の人体とは逆側の外側に配置し、浮体としての使用時に、腹側浮体を、肩部連結部を回転基点として人体の腹側方向に回動させ、腹側浮体を人体の腹側に位置させることを特徴とする。
【発明の効果】
【００１８】
本発明によれば、外出のより多くの機会に持参されやすく、突発的な水難に使用できる可能性が高まる。
【図面の簡単な説明】
【００１９】
【図１】本発明に係る背負い鞄用救命胴体の第１の実施例を示す説明図である。
【図２】同第１の実施例の背負い鞄用救命胴体の使用方法を示す説明図である。
【図３】同第１の実施例の背負い鞄用救命胴体の使用方法を示す説明図である。
【図４】同第１の実施例の背負い鞄用救命胴体の使用方法を示す説明図である。
【図５】本発明に係る背負い鞄用救命胴体の第２の実施例を示す説明図である。
【図６】同第２の実施例の背負い鞄用救命胴体の使用方法を示す説明図である。
【図７】同第２の実施例の背負い鞄用救命胴体の使用方法を示す説明図である。
【図８】同第２の実施例の背負い鞄用救命胴体の使用方法を示す説明図である。
【図９】同第２の実施例の背負い鞄用救命胴体の形状的な特徴を示す説明図である。
【発明を実施するための形態】
【００２０】
本発明に係る背負い鞄用救命胴体は、背負い鞄に装着して使用するもので、豪雨や津波等による水難事象に背負い鞄を救命胴着がごとく使用できるようにするものである。尚、背負い鞄とは、リュックサック、ディバッグなど人体の背中に密着するように背負う鞄であり、小学生が使用するランドセルであってもよく、その構造や大きさにより限定されるものではない。以下、実施例を示して本願の背負い鞄用救命胴体について説明する。
【実施例１】
【００２１】
図１は、本発明に係る背負い鞄用救命胴体の第１の実施例を示す説明図である。図２〜図３は、同第１の実施例の背負い鞄用救命胴体の使用方法を示す説明図である。本実施例における背負い鞄用救命胴体１は、浮体としての使用時に人体の背側Ｂに位置する背側浮体１０と、浮体としての使用時に人体の腹側Ｆに位置する腹側浮体１２と、背側浮体１０と腹側浮体１２とを、それぞれの肩部で連結する２本の肩部連結部１４とを備えている。【００２２】
本実施の形態では、背側浮体１０が、背負い鞄６の収納室６ａ内に収納可能な形状である。背側浮体１０及び腹側浮体１２は、人体を水面に浮かせるのに十分な浮力を有する大きさと材質で作られている。尚、背側浮体１０及び腹側浮体１２は、大人用と子供用では大きさが異なり、また、浮体の量を任意に増減させることで、いろいろな体重の人に対応が可能となる。尚、本実施例に係る図では、背側浮体１０及び腹側浮体１２を、厚板状の略正方形で示しているが、その形状は任意で、例えば、円盤状であっても構わない。【００２３】
次に、本実施の形態に係る背負い鞄用救命胴体１の使用方法を説明する。まず、背負い鞄用救命胴体１を、救命胴体として使用しない時には、図１及び図２に示すように、背側浮体１０を背負い鞄６の収納室６ａ内に収納した状態で、肩部連結部１４が背負い鞄６の収納室口６ｂから出るようにする。そして、肩部連結部１４で背側浮体１０と連結されている腹側浮体１２を、背負い鞄６の外側になるように配置させる。この状態で、背負い鞄用救命胴体１を備えた背負い鞄６を、背負い鞄６の肩紐８に手を通して背負うようにする。【００２４】
次に、水難時等に背負い鞄用救命胴体１を救命胴体として使用する場合には、図３及び図４に示すように、背負い鞄６の収納室６ａ内の背側浮体１０はそのままで、腹側浮体１２を、人体の腹側Ｆに持ってくる。具体的には、腹側浮体１２を、肩部連結部１４を回転基点として人体の腹側Ｆ方向に回動させるようにする。このとき、２本の肩部連結部１４の間から、頭部Ｈを通すようにすればよい。これにより、背側浮体１０と腹側浮体１２とで、人体の背側Ｂと腹側Ｆとが囲まれた状態となり、一般的な救命胴衣と同様な形態になる。【００２５】
尚、この状態のまま使用することも可能であるが、図３に示すように、浮体鞄連結固定部１６で、腹側浮体１２と背負い鞄６と連結するようにしてもよい。浮体鞄連結固定部１６で腹側浮体１２と背負い鞄６と連結することで、腹側浮体１２が腹側Ｆから離れてしまうことを防止することができる。【００２６】
また、図では、肩部連結部１４をバンド状で示しているが、バンド状に限られるものではなく、背側浮体１０と腹側浮体１２とを布状の肩部連結部で連結し、肩部連結部に人体の頭部Ｈを通すことができる穴部を有する形状とすることも可能である。【００２７】
尚、本実施の形態での背負い鞄用救命胴体１の使用方法として、図１や図２に示すように、救命胴体として使用しない時に、腹側浮体１２を、背負い鞄６の外側に配置するようにしているが、このような使い方に限られるものではなく、腹側浮体１２を、背負い鞄６の収納室６ａ内に収納可能な形状とするようにしてもよい。すなわち、背側浮体１０又は／及び腹側浮体１２が、背負い鞄６の収納室６ａ内に収納可能な形状であればよい。
【実施例２】
【００２８】
図５は、本発明に係る背負い鞄用救命胴体の第２の実施例を示す説明図である。図６〜図８は、同第２の実施例の背負い鞄用救命胴体の使用方法を示す説明図である。図９は、同第２の実施例の背負い鞄用救命胴体の形状的な特徴を示す説明図である。本実施例における背負い鞄用救命胴体２は、浮体としての使用時に人体の背側Ｂに位置する背側浮体２０と、浮体としての使用時に人体の腹側Ｆに位置する腹側浮体２２と、背側浮体２０と腹側浮体２２とを、それぞれの肩部で連結する２本の肩部連結部２４とを備えている。【００２９】
背側浮体２０及び腹側浮体２２は、人体を水面に浮かせるのに十分な浮力を有する大きさと材質で作られている。尚、背側浮体２０及び腹側浮体２２は、大人用と子供用では大きさが異なり、また、浮体の量を任意に増減させることで、いろいろな体重の人に対応が可能となる。尚、本実施例に係る図では、背側浮体２０及び腹側浮体２２を、厚板状の略正方形で示しているが、その形状は任意で、例えば、円盤状であっても構わない。【００３０】
次に、本実施の形態に係る背負い鞄用救命胴体２の使用方法を説明する。まず、背負い鞄用救命胴体２を、救命胴体として使用しない時には、図５及び図６に示すように、背側浮体２０を背負い鞄６の背側６ｃの外側になるように配置する。そして、肩部連結部２４で背側浮体２０と連結されている腹側浮体２２を、背負い鞄６の外側になるように配置させる。この状態で、背負い鞄用救命胴体２を備えた背負い鞄６を、背負い鞄６の肩紐８に手を通して背負うようにする。この時に、背側浮体２０は、背負い鞄６の背側６ｃと人体の背側Ｂとの間に位置するようにする。すなわち、背側浮体２０が背負い鞄６の背当てとして機能することになる。【００３１】
次に、水難時等に背負い鞄用救命胴体２を救命胴体として使用する場合には、図７及び図８に示すように、背側浮体２０はそのままで、腹側浮体２２を、人体の腹側Ｆに持ってくる。具体的には、腹側浮体２２を、肩部連結部２４を回転基点として人体の腹側Ｆ方向に回動させるようにする。このとき、２本の肩部連結部２４の間から、頭部Ｈを通すようにすればよい。これにより、背側浮体２０と腹側浮体２２とで、人体の背側Ｂと腹側Ｆとが囲まれた状態となり、一般的な救命胴衣と同様な形態になる。【００３２】
尚、この状態のまま使用することも可能であるが、図７に示すように、浮体鞄連結固定部２６で、腹側浮体２２と背負い鞄６と連結するようにしてもよい。浮体鞄連結固定部２６で腹側浮体２２と背負い鞄６と連結することで、腹側浮体２２が腹側Ｆから離れてしまうことを防止することができる。【００３３】
また、図では、肩部連結部２４をバンド状で示しているが、バンド状に限られるものではなく、背側浮体２０と腹側浮体２２とを布状の肩部連結部で連結し、肩部連結部に人体の頭部Ｈを通すことができる穴部を有する形状とすることも可能である。さらに、背側浮体２０と腹側浮体２２とが分離可能な形態にすることで、背負い鞄用救命胴体２を、背負い鞄６から着脱しやすくすることができる。【００３４】
さらに、背負い鞄用救命胴体２を、救命胴体として使用しない時に、背側浮体２０と腹側浮体２２とを重ねて、腹側浮体２２を背負い鞄６の背当てとして使用してもよい。すなわち、背側浮体２０又は／及び腹側浮体２２が、背負い鞄６の背当てとして使用可能な形状とするようにしてもよい。【００３５】
尚、図７では、背負い鞄６に腹側浮体２２を連結固定する浮体鞄連結固定部２６を示したが、背側浮体２０と腹側浮体２２とを、それぞれの下部で連結する下部連結部を設けるようにしてもよい。これによっても、背側浮体２０と腹側浮体２２の浮き上がりを防止することができる。ここで、浮体鞄連結固定部２６と下部連結部とを別のもののように説明したが、浮体鞄連結固定部２６と下部連結部とが兼用可能な形状であってもよく、また、浮体鞄連結固定部２６と下部連結部とは、それぞれバックル状の着脱が容易な形状にすることが好ましい。【００３６】
尚、背側浮体２０の浮き上がりに関しては、下部連結部による場合の他、図９に示すように、横幅を背負い鞄６の２本の肩紐８の間隔より広くするようにして、対応してもよい。また、背負い鞄用救命胴体２を、救命胴体として使用しない時に、背側浮体２０と腹側浮体２２とを重ねて、腹側浮体２２を背負い鞄６の背当てとして使用した状態で、急に水難に遭遇した場合などには、腹側浮体２２の横幅も、背負い鞄６の２本の肩紐８の間隔より広い形状であれば、腹側浮体２２の浮き上がりが防止できるという効果もある。【００３７】
以上のような実施例１や実施例２の背負い鞄用救命胴体１，２によれば、背負い鞄６と一体で持ち歩くことが可能となり、外出のより多くの機会に持参されやすく、突発的な水難に使用できる可能性が高まることになる。【００３８】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。【００３９】
本出願は、２０１７年４月２４日に出願された日本国特許出願特願２０１７−０８５２３６号に基づく。本明細書中に日本国特許出願特願２０１７−０８５２３６号の明細書、特許請求の範囲、図面全体を参照として取り込むものとする。
【産業上の利用可能性】
【００４０】
本発明により、外出のより多くの機会に持参されやすく、突発的な水難に使用できる可能性が高まる背負い鞄用救命胴体及び背負い鞄用救命胴体の使用方法を提供することができる。
【符号の説明】
【００４１】
１・・・・背負い鞄用救命胴体
２・・・・背負い鞄用救命胴体
６・・・・背負い鞄
６ａ・・・収納室
６ｂ・・・収納室口
６ｃ・・・背側
８・・・・肩紐
１０・・・背側浮体
１２・・・腹側浮体
１４・・・肩部連結部
１６・・・浮体鞄連結固定部
２０・・・背側浮体
２２・・・腹側浮体
２４・・・肩部連結部
２６・・・浮体鞄連結固定部
【図１】
2018198389.tif 000003
【図２】
2018198389.tif 000004
【図３】
2018198389.tif 000005
【図４】
2018198389.tif 000006
【図５】
2018198389.tif 000007
【図６】
2018198389.tif 000008
【図７】
2018198389.tif 000009
【図８】
2018198389.tif 000010
【図９】
2018198389.tif 000011
【国際調査報告】
2018198389.tif 000012
2018198389.tif 000013